(57)【特許請求の範囲】
【請求項１】
複数個のランプの光出力をそれぞれ制御する複数個の調光制御部と、調光制御部がランプに供給する電力の定格電力に対する割合を調光量としてこの調光量を調光制御部に指示する制御部と、ランプの使用時間を累積計時する計時部と、ランプの交換を検出すると無負荷検出信号を発生し計時部により計時されているランプの使用時間を自動的にリセットさせる交換検出部と、非時限期間に無負荷検出信号が発生すると時限を開始する時限部とを備え、前記交換検出部は各ランプの交換を検出するたびに無負荷検出信号を発生する構成であり、前記制御部は、ランプの交換直後の調光量を定格の光出力に対するランプの寿命付近での光出力の割合とし、計時部により計時された使用時間の経過に伴って調光量を増加させるように調光制御部に指示を与え、ランプの寿命付近の調光量を１００％とするとともに、前記時限部による時限中に所定個数の無負荷検出信号が発生すると前記計時部により計時されているランプの使用時間を自動的にリセットすることを特徴とする照明装置。
【発明の詳細な説明】
【０００１】
【発明の属する技術分野】
本発明は、使用者にランプの使用時間を累積計時する機能を有した照明装置に関するものである。
【０００２】
【従来の技術】
従来から、ランプの経年変化による光出力の低下や長期間の使用に伴う汚れによる光出力の低下を補正するために、ランプの交換後からの使用時間を累積計時し、使用時間の増加に伴って調光量を増加させるように調光する照明装置が提供されている（特開平９−９７６８３号公報参照）。ここに、調光量はランプへの供給電力の定格値に対する割合を意味し、使用時間の増加に伴って調光量を増加させることで、ランプの光出力をほぼ一定に保つ制御が可能になる。また、ランプの寿命近くで調光量を１００％になるように制御することにより、ランプの使用開始時には調光量を小さくして省エネルギの効果を得るようにしてある。
【０００３】
上記公報には、ランプの使用時間を表示し、累積計時した使用時間がランプに保証されている定格寿命に達したときには、使用時間を強制的にリセットし調光量を所期状態に戻すことによってランプの光出力を低下させ、この光出力の低下によってランプの寿命を使用者に報知することが記載されている。
【０００４】
一方、ランプの使用時間が定格寿命に達していない状態でランプを交換することもあるから、このような場合に対応するために、使用者が操作するリセットスイッチが設けられている。リセットスイッチを操作すればランプの使用時間が定格寿命に達していなくても使用時間をリセットすることができる。
【０００５】
【発明が解決しようとする課題】
ところで、上記公報に記載された照明装置は、ランプの使用時間が定格寿命に達すると光量が低下するものであるから、定格寿命に達したときには必要照度が得られなくなるものである。ここで、必要照度が得られない時間が短時間であればとくに問題は生じないが、店舗用の照明では小型の店舗であっても５０個以上のランプを用いるのが一般的であって、上述のようにランプの使用時間に応じて調光量を制御する場合には、複数個のランプをまとめて制御するから、比較的広い範囲に亘って照度が低下し、しかもランプの交換に要する時間が長くなるという問題が生じる。つまり、つまり、上記公報に記載された照明装置は、店舗照明には不向きなものである。
【０００６】
また、定格寿命に達しているランプについては使用時間が自動的にリセットされるからリセットに手間がかからないが、定格寿命に達していないランプについては個々にリセットスイッチを操作しなければならないから、使用時間のリセットに手間がかかり、場合によってはリセットを忘れることもある。上記公報に記載された照明装置では、使用時間に応じて調光量を変化させているから、ランプを長時間使用した後に定格寿命に達する前に交換し、そのときリセットスイッチの操作を忘れたとすると、そのランプは交換したにもかかわらず、すでに長時間にわたって使用したことになるから光出力が高くなり、それだけ省エネルギの効果が損なわれることになる。
【０００７】
本発明は上記事由に鑑みて為されたものであり、その目的は、ランプが定格寿命か否かにはかかわらずランプを交換すると使用時間が自動的にリセットされるようにして使用時間のリセット忘れを防止した照明装置を提供することにある。
【０００８】
【課題を解決するための手段】
請求項１の発明は、複数個のランプの光出力をそれぞれ制御する複数個の調光制御部と、調光制御部がランプに供給する電力の定格電力に対する割合を調光量としてこの調光量を調光制御部に指示する制御部と、ランプの使用時間を累積計時する計時部と、ランプの交換を検出すると無負荷検出信号を発生し計時部により計時されているランプの使用時間を自動的にリセットさせる交換検出部と、非時限期間に無負荷検出信号が発生すると時限を開始する時限部とを備え、前記交換検出部は各ランプの交換を検出するたびに無負荷検出信号を発生する構成であり、前記制御部は、ランプの交換直後の調光量を定格の光出力に対するランプの寿命付近での光出力の割合とし、計時部により計時された使用時間の経過に伴って調光量を増加させるように調光制御部に指示を与え、ランプの寿命付近の調光量を１００％とするとともに、前記時限部による時限中に所定個数の無負荷検出信号が発生すると前記計時部により計時されているランプの使用時間を自動的にリセットするものである。
【００１７】
【発明の実施の形態】
（基本構成）
図１に概略構成をブロック図として示す。ここでは、蛍光ランプであるランプ１を用い、ランプ交換からの経過時間に応じてランプ１の光出力を調光する。ランプ１の光出力は、調光制御部２に調光制御信号作成部３からの調光制御信号を入力することによって調節される。調光制御部２にはインバータ回路が用いられ、インバータ回路の動作周波数を調光制御信号で制御することによってランプ１に供給する電力を調節している。インバータ回路を用いるとともにランプ１への供給電力を調節する構成は周知であり、ランプ１と適宜のインピーダンス（インダクタないし共振回路）とを含む負荷回路にインバータ回路の出力を供給し、インバータ回路に含まれるスイッチング素子のスイッチングの周波数（動作周波数）ないしデューティを調節することでランプ１への供給電力を調節するものが一般的である。
【００１８】
ところで、調光制御信号作成部３は制御部４から与えられる調光量に応じて調光制御信号を作成しており、この調光量はランプ１の経年的な光出力の低下や汚れによる光量低下を補正するように作成される。制御部４はマイコンを主構成とするものであり、制御部４には計時部５によって計時されたランプ１の交換後からの使用時間が入力され、この使用時間に基づいて調光制御信号作成部３に調光量を指示するようになっている。
【００１９】
ここで、使用時間と調光量との関係について説明する。いま、使用時間にかからわず調光量を一定に保っているとすれば、ランプ１の経年的な劣化や汚れなどによって図３のように照明器具から得られる光量が時間経過に伴って低下する。すなわち、ランプ１の交換直後の光量を１００％とすれば、ランプ１の寿命付近での光量はたとえば７０％というように低下することが知られている。そこで、照明器具から得られる光量を一定に保つために、図４に示すように、ランプ１の交換直後の調光量をランプ１の定格の光出力に対する寿命付近での光出力の割合（たとえば７０％程度）に設定しておき、ランプ１の寿命付近で調光量を１００％に設定するように、調光量を使用時間の増加に伴って増加させている。このような制御を行えば、ランプ１の交換直後から寿命に達するまでの間にランプ１の光出力をほぼ一定に保つことができる上に、ランプ１の寿命近くになるまで調光量を１００％よりも小さく設定しているから、ランプ１の交換直後から調光量を１００％に設定した場合に比較すると、図４に示す斜線部に相当する分だけ消費電力を低減させることができ、結果的に省エネルギになる。ここで、照明器具から得られる光量をほぼ一定に保つための調光量は、ランプ１の交換後からの使用時間によって決めることができるから、使用時間と調光量との関係を制御部４に与えておけば、計時部５によって求めたランプ１の交換後からの使用時間に対して制御部４において調光量を決定し、この調光量に対応した調光制御信号を生成させることができるのである。
【００２０】
ランプ１の交換時からの使用時間と調光量との関係は厳密に設定する必要はなく、人が光量変化を認識しない程度であればよいから、調光量を複数段階に設定するとともに、調光量の各段階と使用時間の範囲とを対応付けたテーブルを用意しておき、計時部５により計時された時間を上記テーブルに照合することによって調光量を決定する。計時部５からの計時時間とテーブルとの照合は、一定時間毎（たとえば、１時間毎）に行うようにすればよい。ここに、テーブルは制御部４に設けたＲＯＭに格納しておけばよい。また、計時部５により累積計時される使用時間は、制御部４に接続された経過時間表示部６に表示される。経過時間表示部６に表示される時間は一定時間毎（たとえば１時間毎）に更新される。ここに、経過時間表示部６には図５のように７セグメント式の発光ダイオード表示器などが用いられる。また、経過時間表示部６には、使用時間に対応して発光色が変化する表示灯６ａが付加されている。この表示灯６ａは、ランプ１の使用時間が定格寿命を越えると赤色に発光し、定格寿命の１００時間前から定格寿命までは橙色に発光し、その他の時間帯には緑色に発光するように構成されている。このような表示灯６ａは赤と緑との２色に発光する２色発光ダイオードを用い、橙色に発光させる際には赤と緑との混色が得られるように発光させればよい。
【００２１】
ところで、本例では調光制御部２の出力電流を検出し、規定値と比較することによってランプ１が外されたことを検出する交換検出部としての無負荷検出部７を備えている。この無負荷検出部７はランプ１が外されたことを検出すると、計時部５に累積計時された使用時間を初期値に自動的にリセットする機能を有している。つまり、ランプ１が交換されたときには、計時部５に計時された使用時間がリセットされて新たに接続されたランプ１の使用時間が計時されることになる。ここで、計時部５に計時された使用時間がリセットされると経過時間表示部６の表示も「０００００」にリセットされる。
【００２２】
上記構成のうち、ランプ１と調光制御部２と無負荷検出部７とは照明器具１０に設けられ、調光制御信号作成部３と制御部４と計時部５と経過時間表示部６とは制御盤１１に収納される。したがって、制御盤１１は照明器具１０とは別の場所に配置され、調光制御部２に接続される調光制御線Ｌ１および無負荷検出部７に接続された無負荷検出線Ｌ２を介して接続される。
【００２３】
図１に示した回路の一具体例を示すと図２のようになる。図２に示す回路は調光制御部２としてハーフブリッジ形のインバータ回路を用いている。この調光制御部２は、商用電源などの交流電源ＡＣを全波整流するダイオードブリッジのような整流器ＤＢを備え、整流器ＤＢの出力電圧を平滑コンデンサＣ１により平滑して得た直流を電源として用いる。平滑コンデンサＣ１の両端間には一対のトランジスタＱ１，Ｑ２のコレクタ・エミッタを直列接続した直列回路が接続され、各トランジスタＱ１，Ｑ２にはそれぞれダイオードＤ１，Ｄ２が逆並列に接続されている。これらのダイオードＤ１，Ｄ２はフライバック電流を流すために設けられている。各トランジスタＱ１，Ｑ２はそれぞれ駆動回路ＤＶ１，ＤＶ２を介して制御回路ＣＮにより制御される。制御回路ＣＮには調光制御信号作成部３からの調光制御信号が入力されるとともに、無負荷検出部７を構成する無負荷検出回路ＮＬからの無負荷検出信号が入力される。
【００２４】
一方のトランジスタＱ１のコレクタ・エミッタには、ランプ１としての放電灯ＬａとカレントトランスＣＴと直流カット用のコンデンサＣ２とインダクタＬ１との直列回路が接続される。また、放電灯Ｌａのフィラメントの非電源側端間にはインダクタＬ１とともに共振回路を構成するコンデンサＣ３が接続される。カレントトランスＣＴは放電灯Ｌａに流れる電流を検出するものであり、カレントトランスＣＴの２次出力電流が流される抵抗Ｒ１および抵抗Ｒ１の両端電圧を規定値と比較する無負荷検出回路ＮＬとともに無負荷検出部７を構成する。無負荷検出回路ＮＬはコンパレータなどを用いて構成され、トランジスタＱ１，Ｑ２がオンオフされているにもかかわらず抵抗Ｒ１の両端電圧が規定値より低いときには、放電灯Ｌａに電流が流れていない無負荷状態と判断して無負荷検出信号を出力する。ただし、ランプ１の予熱期間には無負荷検出信号を出力しないように構成しておく。
【００２５】
制御回路ＣＮは、両トランジスタＱ１，Ｑ２を交互にオンオフさせ、トランジスタＱ２のオン時には平滑コンデンサＣ１から放電灯Ｌａに電力を供給し、トランジスタＱ１のオン時にはコンデンサＣ２から放電灯Ｌａに電力を供給する。この動作によって放電灯Ｌａには交番電流が流れるのであり、トランジスタＱ１，Ｑ２をオンオフさせる動作周波数を交流電源ＡＣの電源周波数よりも十分に高い高周波とすることによって、インダクタＬ１などを小型化するとともに放電灯Ｌａの発光輝度を高めてある。ここにおいて、制御回路ＣＮに対して調光制御信号によって調光量を指示すると、調光制御部２の動作周波数を変化させることが可能になっており、調光制御部２の動作周波数を調節すればインダクタＬ１を含む共振回路のインピーダンスが変化するから、放電灯Ｌａへの供給電力を動作周波数に応じて調節することができ、放電灯Ｌａの光出力を調節することができる。ここに、動作周波数ではなくトランジスタＱ１，Ｑ２のオン期間の比率（つまり、デューティ比）を変化させることによっても放電灯Ｌａの光出力を調節することができる。
【００２６】
制御回路ＣＮは無負荷検出回路ＮＬからの無負荷検出信号によっても制御され、無負荷時にはトランジスタＱ１，Ｑ２の動作周波数を変化させて調光制御部２の出力を低下させたり、トランジスタＱ１，Ｑ２のオンオフを停止させることにより調光制御部２の出力を停止させる。無負荷検出回路ＮＬからの無負荷検出信号は制御盤１１に設けた制御部４にも伝送される。
【００２７】
図２にはハーフブリッジ形のインバータ回路を調光制御部２に用いた例を示したが、調光制御部２の構成はこれに限定されるものではなく、たとえば図６のように１石式のインバータ回路を用いることもできる。図２に示した回路との相違は、平滑コンデンサＣ１の両端間に一対のトランジスタＱ１，Ｑ２の直列回路を接続する代わりに、インダクタＬ４とコンデンサＣ４との直列回路を接続し、コンデンサＣ４にトランジスタＱ４のコレクタ・エミッタを並列接続し、さらにトランジスタＱ４に逆並列にダイオードＤ４を接続している点であって、インダクタＬ４とコンデンサＣ４との接続点にインダクタＬ１の一端を接続してある。また、図６の構成ではトランジスタＱ４が１個であるから駆動回路ＤＶ４も１個になっている。この構成では交流電源ＡＣの電源周波数よりも十分に高い高周波でトランジスタＱ４をオンオフさせるのであって、インダクタＬ４とコンデンサＣ４とからなる共振回路の共振電流を放電灯Ｌａを含む負荷回路に流すように構成されている。ここで、トランジスタＱ４をオンオフさせる動作周波数を変化させれば放電灯Ｌａに供給する電力を変化させることができる。類似構成は特開平１−２９８９６３号公報に記載されている。
【００２８】
上述したように、本例では無負荷検出部７を設けていることによって、ランプ１の交換時に調光制御部２が一旦無負荷状態になったことを検出し、このときに無負荷検出信号を発生させて計時部５に計時された使用時間をリセットするから、ランプ１の交換時に使用時間が自動的に初期化されるのである。つまり、ランプ１が寿命に達していない時点で交換したとしても計時部５を手動でリセットする必要がなく、ランプ１を交換したときに計時部５を確実にリセットすることができる。仮に、ランプ１を長時間にわたって使用した後であって寿命に達していない状態でランプ１を交換したときに計時部５に計時された使用時間がリセットされていないとすれば、ランプ１を交換したとしても交換直後よりも調光量が増加した状態でランプ１を点灯させることになり、上述した省エネルギの効果が損なわれることになる。これに対して本例の構成ではランプ１が寿命に達していない状態でもランプ１を交換するときに無負荷になれば計時部５がリセットされるから、省エネルギの効果を得ることができる。
【００２９】
（参考例１）
本例は、図７に示すように、ＥＥＰＲＯＭを用いて構成したバックアップ部８を制御部４に接続し、電源が遮断されたときにも計時部５で計時された使用時間をバックアップ部８で保持するようにしたものである。したがって、停電などによって電源が遮断されたときには、バックアップ部８に計時部５で計時された使用時間を格納して無給電で保持し、電源が復帰したときにはバックアップ部８に格納された使用時間を読み出し、計時部５ではバックアップ部８から読み出した使用時間から継続するようにランプ１の使用時間を累積計時するのである。この構成によってランプ１をオンオフさせた場合や停電があった場合などにおいてもランプ１の使用時間を正確に計時することができる。なお、経過時間表示部６の表示は１時間毎に更新しているが、バックアップ部８には１時間よりも短い単位で使用時間を格納するのが望ましい。他の構成および動作は基本構成と同様である。
【００３０】
（参考例２）
本例は、基本構成とは異なる構成の無負荷検出部７を用いるものである。すなわち、図８に示すように、放電灯Ｌａの非電源側の電圧を検出する無負荷検出回路ＮＬを無負荷検出部７として用いる点が基本構成と相違している。このような構成の無負荷検出回路ＮＬを採用すると、放電灯Ｌａを外したときに、無負荷検出回路ＮＬでは電圧が検出されなくなるから、放電灯Ｌａが無負荷状態であることを検出することができる。この種の技術では、特開平１−１８９８９３号公報にも記載されている。無負荷を検出する技術以外は基本構成と同様であって、同様の効果が得られる。
【００３１】
（参考例３）
本例は、無負荷検出部７として基本構成とは異なる構成を用いたものであり、図９のように、整流器ＤＢと平滑コンデンサＣ１との間に設けたカレントトランスＣＴ１の出力に基づいて無負荷か否かを検出するようにしてある。カレントトランスＣＴ１の２次側電流は抵抗Ｒ２に流され、抵抗Ｒ２の両端電圧によってカレントトランスＣＴ１の１次側電流に相当する電圧が検出される。つまり、放電灯Ｌａが接続されているときには、カレントトランスＣＴ１の１次側に電流が流れているから抵抗Ｒ２の両端に所定値以上の電圧が生じているから、このときには無負荷検出信号を発生せず、無負荷検出回路ＮＬにおいて抵抗Ｒ２の両端電圧が所定値未満になると無負荷状態と判断して無負荷検出信号を発生するのである。他の構成および動作は基本構成と同様である。
【００３２】
なお、無負荷検出部７としては、上述した構成のほか、カレントトランスＣＴ１に代えて抵抗を用いる構成や、交流電源ＡＣから整流器ＤＢに流れ込む電流を検出する構成などを採用することができる。
【００３３】
（実施の形態）
上述の各構成例では１台の照明器具１０について説明したが、本実施形態では複数台の照明器具１０を用いる例を示す。複数台の照明器具１０は店舗やオフィスにおいて一般的であって、とくにコンビニエンスストアのような店舗では、すべてのランプを交換するようにマニュアル化されていることが多いから、本実施形態ではこのような用途に適した構成を説明する。基本構成においては、照明器具１０に設けた無負荷検出部７から無負荷検出信号が発生すると計時部５で計時された使用時間をリセットする構成としていたから、本実施形態のように複数台の照明器具１０を用いるとともに、計時部５を共用する構成としたときには、各照明器具１０のランプを交換するたびに無負荷検出信号が発生して計時部５がリセットされることになる。つまり、複数台の照明器具１０のランプをすべて交換するとすれば、経過時間表示部６の表示が何度もリセットされることになって目障りになるとともに使用者に故障ではないかという不安感を与えることになる。
【００３４】
そこで、本実施形態では複数台の照明器具１０のランプをすべて交換するようなときには、計時部５が１回だけリセットされるようにしてある。具体的には図１０に示すように、時限部９を設け、時限部９により時限される一定時間内に無負荷検出信号が所定個数入力されると計時部５をリセットするように構成してある。すなわち、図１１（ｂ）のように無負荷検出信号が発生すると図１１（ｃ）のように時限部９による一定時間Ｔ１の時限が開始されるが、一定時間Ｔ１の時限中に所定個数（たとえば、３個）の無負荷検出信号が発生したときにのみ、図１１（ａ）に示すように、計時部５のリセットを行う信号を発生するのである。ここで、時限部９は制御部４を構成するマイコンに内蔵したタイマを用いて構成されている。
【００３５】
上述のように時限部９で時限される一定時間内に照明器具１０の台数に応じた規定個数の無負荷検出信号が制御部４に入力されたときに計時部５をリセットするから、ランプの交換作業中には計時部５がリセットされることはなく、各照明器具１０のランプを交換するたびに経過時間表示部６の表示がリセットされるという不都合を回避することができる。他の構成および動作は基本構成と同様である。
【００３６】
（参考例４）
本例は、図１２に示すように、複数台の照明器具１０，１０ａを用いるものであるが、一部の照明器具１０にのみ無負荷検出部７を設けてあり、大部分の照明器具１０ａには無負荷検出部７のないものを用いている。つまり、すべての照明器具１０，１０ａに調光制御部２は設けてあるが、図示例では２台の照明器具１０にのみ無負荷検出部７を設けている。２台の照明器具１０は代表として用いられ、いずれかの照明器具１０においてランプが交換されると計時部５がリセットされるようにしてある。他の照明器具１０ａは無負荷検出信号を発生する機能はなく、これらの照明器具１０ａではランプを交換しても計時部５はリセットされない。したがって、実施の形態と同様に、経過時間表示部６の表示がランプの交換毎に何度もリセットされるのを防止することができる。他の構成および動作は基本構成と同様である。
【００３７】
本例では、実施の形態の効果に加えて、大部分の照明器具１０ａに無負荷検出部７を持っていない簡単な構成の照明器具を用いることになるから、それだけコストを低減することができ、しかも無負荷検出線Ｌ２を一部の照明器具１０からのみ引き出すから配線施工も容易になる。
【００３８】
（参考例５）
本例では、図１３に示すように、複数台の照明器具１０ｂを用いているが、各照明器具１０ｂごとに無負荷検出部を設けるのではなく、複数台の照明器具１０ｂに一括して無負荷検出部７ａを設けている。無負荷検出部７ａとしては、交流電源ＡＣからすべての照明器具１０ｂへの共通の給電経路に無負荷検出部７ａを設けている。無負荷検出部７ａではいずれかの照明器具１０ｂで無負荷状態になると無負荷検出信号を制御盤１１に与える。制御盤１１には計時部５が設けられ、無負荷検出信号が発生すると計時部５がリセットされる。
【００３９】
本例では各照明器具１０ｂに無負荷検出部を設ける必要がないから、各照明器具１０ｂの構成が簡単になりコストの増加が抑制され、かつ照明器具１０ｂの小型化に寄与することになる。また、無負荷検出線Ｌ２が１組だけであるから、配線施工も容易になる。
【００４０】
ここで、一部の照明負荷１０ｂに共通した給電経路にのみ無負荷検出部７ａを設け、大部分の照明負荷については無負荷検出部７ａを通さずに給電すれば、参考例４と同様に、給電経路に無負荷検出部７ａが設けられている照明器具１０ｂのランプを交換したときだけ計時部５がリセットされることになり、経過時間表示部６の表示が何度もリセットされるのを防止することができる。ここに、無負荷検出部７ａとしては、カレントトランスを用いて通過電流を検出する構成や、抵抗に電流を流して両端電圧を検出する構成を採用することができる。他の構成および動作は基本構成と同様である。
【００４１】
（参考例６）
上述した各構成例では無負荷検出部７としてランプ１の装着時と非装着時との回路電流や回路電圧の相違を検出するものを用いていたが、本例では、図１４に示すように、ランプ１のソケット２１にスイッチ２２を設けて無負荷検出部７に用いる例を示す。つまり、スイッチ２２は押釦スイッチであって、蛍光ランプであるランプ１がソケット２１に装着されたときに接点が閉じるものを用いている。つまり、ランプ１を交換するときには、ランプ１が外されるとスイッチ２１の接点が開き、この情報が無負荷検出信号として制御部４に送られるようになっている。他の構成および動作は基本構成と同様である。
【００４２】
（参考例７）
上述した各構成例では、ランプ１を交換した後の使用時間に応じて調光量を制御することによって照明器具の光量をほぼ一定に保つ構成を採用していたが、本例では図１５のようにランプ１からの直接光による照度を照度センサ２３により検出し、照度センサ２３により検出される照度が一定に保たれるようにフィードバック制御する構成を採用している。したがって、計時部５により計時されるランプ１の使用時間はランプ１の寿命の判断に用いられるが、使用時間に応じて調光量を制御するためには用いられない。つまり、ランプ１の使用時間と調光量とを対応付けるテーブルは設けていない。
【００４３】
本例では、ランプ１の寿命付近で調光量を１００％として点灯させたときの光出力に相当する照度を目標値として与えて、フィードバック制御を行うようにしてある。したがって、ランプ１の交換直後では、たとえば調光量が７０％に設定され、ランプ１の寿命が近付くに従って調光量が増加することになる（調光の程度が浅くなる）。このような制御によってランプ１からの光出力の安定性が高くなるのである。
【００４４】
ところで、上述のように照明器具の光量に対する目標値を与えてフィードバック制御を行うと、ランプ１の実際の光出力に応じて制御部４から調光制御信号作成部３に与えられる調光量が増減する。ランプ１の使用時間が長いほど調光量は増加するから、ランプ１を交換したときには調光量が減少することになる。そこで、本例では、調光量の減少を検出することによりランプ１の交換を検出している。調光量の減少は一時的に生じることもあるから、ランプ１の交換による程度の調光量の変化が得られ、かつ変化後の状態が所定時間継続すると、ランプ１が交換されたものと判断する。つまり、本例では制御部４において無負荷（ランプ１の交換）の判断がなされることになる。具体的に言えば、ランプ１の交換直後には調光量を７０％に設定しているとすれば、この調光量に対して明確に差がある調光量（たとえば、８０％）を閾値として、調光量が閾値以上である状態から調光量がランプ１の交換直後の値に変化したときには、ランプ１が交換されたものと判断するのである。こうしてランプ１の交換が検出されると、計時部５がリセットされる。
【００４５】
本例では、調光量の変化を用いてランプ１の交換を検出するから制御部４でランプ１の交換を検出することになる。また、上述の例ではランプ１の光出力を照度センサ２３により直接検出しているが、照明器具の反射板などでの反射光や床面での反射光を照度センサ２３で検出するようにしてもよい。さらに、照明器具に照度センサ２３を一対一に設けるのではなく、複数の照明器具において照度センサ２３を共用する構成や、複数の照明器具のうちの一部にのみ照度センサ２３を設ける構成を採用してもよい。他の構成および動作は基本構成と同様である。
【００４６】
（参考例８）
上述した構成例では、ランプ１の交換時に計時部５を自動的にリセットする構成を採用しているから、ランプ１の交換を行わない場合でも照明器具を清掃したり点検したりするときにランプ１を外すと計時部５がリセットされることになる。このようにランプ１の交換時以外で計時部５がリセットされると不都合であるから、本例ではランプ１を交換しないときには、計時部５のリセットを禁止することができるように、図１６のように手動スイッチ２４を設けている。
【００４７】
本例では基本構成に手動スイッチ２４を適用した例を示しており、手動スイッチ２４が操作されたときには、無負荷検出部７から無負荷検出信号が発生しても一時的に無視するように構成されている。ここに、無負荷検出信号を無視する条件としては、手動スイッチ２４が操作されてから一定時間とするのが望ましい。つまり、一定時間の経過後には元の状態に自動的に復帰するようにしておくことで、手動スイッチ２４の復帰操作を行う必要がなくなり、復帰忘れによる誤動作を防止することができる。
【００４８】
上述の構成によって、清掃時や検査時には手動スイッチ２４を操作すれば無負荷検出信号が無視されるから、ランプ１を外しても計時部５がリセットされることがなく、ランプ１の交換の意図がないときに計時部５がリセットされてしまうのを防止することができる。他の構成および動作は基本構成と同様である。また、本例の構成は基本構成以外の構成にも適用することができる。
【００４９】
（参考例９）
本例は、図１７のように、照明器具１０に計時部５を設け、計時部５により計時された使用時間に調光量を対応付けたテーブルを備える個別制御部４ａを照明器具１０に設けたものである。個別制御部４ａは計時部５により計時された時間をテーブルに照合して調光制御信号を生成して調光制御部２に与える。つまり、各照明器具１０において光量を一定に保つ制御を行っている。
【００５０】
制御盤１１に設けた制御部４および調光制御信号作成部３は、タイムスケジュールの管理などに用いられ、たとえば、昼と夜とで光量を変化させるような場合には制御盤１１から照明器具１０に指示を与える。このように制御盤１１から指示を与えるようにすれば、複数台の照明器具１０を接続している場合に、一括して光量を制御することが可能になる。
【００５１】
本例を採用すれば、複数台の照明器具１０を用いる場合でも個々の照明器具１０において、ランプ１の交換時からの使用時間による光量変化が抑制されるから、複数台の照明器具１０のランプ１を一斉に交換しなくても光量を一定に保つことができる。なお、本例で制御盤１１において使用時間を表示する必要があれば、図１８に示すように、複数台の照明器具１０のうちのいずれかを代表として、その照明器具１０の計時部５により計時されている時間を制御盤１１に設けた経過時間表示部６に表示させるようにしてもよい。ただし、この構成を採用する場合には、複数台の照明器具１０のランプ１を一斉に交換する必要がある。他の構成および動作は基本構成と同様である。
【００５２】
【発明の効果】
請求項１の発明の構成によれば、ランプの交換時に計時部に計時された使用時間が自動的にリセットされるから、ランプの交換時に何らの操作を伴うことなく計時部をリセットすることができる。その結果、ランプの使用時間に応じて決定される調光量をランプの使用時間に正確に対応させることができる。また、ランプの交換時に計時部に計時された使用時間が自動的にリセットされるから、ランプの交換時に何らの操作を伴うことなく計時部をリセットすることができる。その結果、ランプの使用時間に応じて決定される調光量をランプの使用時間に正確に対応させることができる。しかも、複数個のランプの交換時に１個だけ交換するのではなく、所定個数のランプを連続して所定時間内に交換したときに計時部をリセットするので、個々のランプの交換毎に計時部がリセットされることはなく、計時部が何度もリセットされるという不都合を回避することができる。
【図面の簡単な説明】
【図１】  本発明の基本構成を示すブロック図である。
【図２】  同上の要部の回路図である。
【図３】  同上の動作説明図である。
【図４】  同上の動作説明図である。
【図５】  同上に用いる経過時間表示部の斜視図である。
【図６】  同上の要部の他の構成例を示す回路図である。
【図７】  参考例１を示すブロック図である。
【図８】  参考例２を示す要部の回路図である。
【図９】  参考例３を示すブロック図である。
【図１０】  本発明の実施の形態を示すブロック図である。
【図１１】  同上の動作説明図である。
【図１２】  参考例４を示すブロック図である。
【図１３】  参考例５を示すブロック図である。
【図１４】  参考例６を示し、（ａ）は分解斜視図、（ｂ）は側面図である。
【図１５】  参考例７を示すブロック図である。
【図１６】  参考例８を示すブロック図である。
【図１７】  参考例９を示すブロック図である。
【図１８】  同上の他の構成例を示すブロック図である。
【符号の説明】
１  ランプ
２  調光制御部
５  計時部
４  制御部
７  無負荷検出部
８  バックアップ部
９  時限部
２３  照度センサ
【図１】
0003903641.tif 000002
【図２】
0003903641.tif 000003
【図３】
0003903641.tif 000004
【図４】
0003903641.tif 000005
【図５】
0003903641.tif 000006
【図６】
0003903641.tif 000007
【図７】
0003903641.tif 000008
【図８】
0003903641.tif 000009
【図９】
0003903641.tif 000010
【図１０】
0003903641.tif 000011
【図１１】
0003903641.tif 000012
【図１２】
0003903641.tif 000013
【図１３】
0003903641.tif 000014
【図１４】
0003903641.tif 000015
【図１５】
0003903641.tif 000016
【図１６】
0003903641.tif 000017
【図１７】
0003903641.tif 000018
【図１８】
0003903641.tif 000019